(57)【特許請求の範囲】
【請求項１】
被写体の放射線画像を撮影する撮影部が設けられる撮影台を備え、
前記撮影台は、前記被写体が臥位姿勢で載置され、基台部に対して水平方向に移動可能な天板部と、
前記天板部を任意の位置で固定するロック手段と、
前記天板部の側部に沿って延在するライン状に構成されるとともに、前記ロック手段による該天板部の固定状態を解除するスイッチ部材と、
前記スイッチ部材のライン方向に沿って所定の長さ毎に分割され、それぞれ前記天板部に傾動可能に固定されるとともに、外力により前記スイッチ部材側に傾動する際には、前記スイッチ部材を覆って前記天板部に係合し、手指が該スイッチ部材に触れることを阻止する保護カバー部材と、
を備えることを特徴とする放射線画像撮影装置。
【請求項２】
請求項１記載の装置において、前記保護カバー部材は、樹脂系材料で形成されるとともに、ヒンジ構造を一体的に有することを特徴とする放射線画像撮影装置。
【発明の詳細な説明】
【０００１】
【発明の属する技術分野】
本発明は、被写体の放射線画像の撮影作業を行う放射線画像撮影装置に関する。
【０００２】
【従来の技術】
例えば、蓄積性蛍光体（輝尽性蛍光体）を利用して、人体等の被写体の放射線画像情報を一旦記録し、この放射線画像情報を写真フイルム等の写真感光材料等に再生し、あるいはＣＲＴ等に可視像として出力させるシステムが知られている。
【０００３】
蓄積性蛍光体は、放射線（Ｘ線、α線、γ線、電子線、紫外線等）の照射によりこの放射線エネルギの一部を蓄積し、後に可視光等の励起光の照射によって、蓄積されたエネルギに応じて輝尽発光を示す蛍光体をいう。この蓄積性蛍光体は、取り扱いの容易性等から、通常、シート状である蓄積性蛍光体シートとして使用されている。
【０００４】
上記システムでは、例えば、蓄積性蛍光体シートに被写体の放射線画像情報を一旦記録する撮影部と、前記放射線画像情報が記録された前記蓄積性蛍光体シートに励起光を照射して前記放射線画像情報を光電的に読み取る読み取り部と、前記放射線画像情報を読み取り後に前記蓄積性蛍光体シートに残存する放射線画像情報を消去する消去部とを一体的に組み込み、該蓄積性蛍光体シートを装置内で循環または往復させる、所謂、ビルトイン方式の放射線画像情報読取装置が採用されている。
【０００５】
この種の放射線画像情報読取装置では、一般的に水平方向に沿って移動可能に配置されたベッド型撮影台を備えるタイプが知られている。例えば、図９に示すように、従来の放射線画像情報読取装置１では、装置本体２上に対して撮影台３が水平方向の２軸であるＸ軸方向およびＹ軸方向に移動可能にフローチング支持されており、この撮影台３上には、被写体である患者４が臥位姿勢（横臥姿勢）で乗せられている。
【０００６】
そこで、撮影者５は、患者４の所望の撮影箇所をＸ線照射部６の照射位置に対応して配置すべく、撮影台３をＸ軸方向および／またはＹ軸方向に移動させる。次いで、Ｘ線照射部６が駆動され、前記患者４の所望の部位（患部）の放射線画像情報を撮影する作業が行われている。
【０００７】
【発明が解決しようとする課題】
ところで、上記の放射線画像情報読取装置１では、撮影台３を所望の高さ位置に固定するためにロック手段が設けられている。そして、撮影台３を移動させる際には、通常、この撮影台３の側部に設けられているロック解除用スイッチ７を操作し、ロック手段による前記撮影台３の固定作用を解除している。
【０００８】
しかしながら、撮影台３の側部にロック解除用スイッチ７が設けられているため、患者４がこの撮影台３に乗り降りする際に、前記ロック解除用スイッチ７を誤って押してしまうと、前記撮影台３が動いてしまうという問題が指摘されている。そこで、一般的には、ロック解除用スイッチ７を撮影台３から離れた位置に設けることにより対応しているが、操作性が著しく低下するという不具合がある。
【０００９】
本発明はこの種の問題を解決するものであり、撮影台のロックが不用意に解除されることを阻止するとともに、前記撮影台の作業性を有効に向上させることが可能な放射線画像撮影装置を提供することを目的とする。
【００１０】
【課題を解決するための手段】
本発明に係る放射線画像撮影装置では、撮影台を構成する天板部上に被写体が臥位姿勢で載置され、スイッチ部材を操作することによりロック手段による前記天板部の固定が解除された状態で、該天板部を水平方向に移動させて前記被写体の所望の撮影部位が位置決めされる。次いで、スイッチ部材から手指を離脱させることにより、ロック手段を介して天板部が固定される。
【００１１】
ここで、天板部には、スイッチ部材の外方に位置して天板部に傾動可能な保護カバー部材が固定されている。この保護カバーは、外力によりスイッチ部材側に傾動する際、このスイッチ部材を覆うように係合されており、手指が前記スイッチ部材に触れることを阻止する。しかも、スイッチ部材は、天板部の側部に沿ってライン状に構成され、保護カバー部材は、このスイッチ部材のライン方向に沿って所定の長さ毎に分割されている。これにより、操作者は、任意の位置から任意の保護カバー部材を外方に傾動させてスイッチ部材に触れることができ、操作性が有効に向上する。
【００１２】
従って、被写体、例えば、患者が不用意にスイッチ部材に触れることがなくなり、この患者が天板部上に乗り降りする際に、前記スイッチ部材が押されてロック手段が解除されることを確実に阻止することができる。一方、操作者は、保護カバー部材の内側に手指を進入させてスイッチ部材を操作するだけで、天板部を容易に移動させることができる。これにより、撮影台の作業性が有効に向上する。
【００１３】
また、保護カバー部材は、樹脂系材料で形成されるとともに、ヒンジ構造を一体的に有している。このため、保護カバー部材を安価に製造することが可能になり、経済的である。
【００１５】
【発明の実施の形態】
図１は、本発明の実施形態に係る放射線画像撮影装置である放射線画像情報読取装置１０の概略斜視説明図であり、図２は、前記放射線画像情報読取装置１０の内部概略構成説明図である。
【００１６】
放射線画像情報読取装置１０は、床面（設置面）１２上に配置される装置本体１４と、被写体、例えば、患者が、直接、臥位姿勢（横臥姿勢）で載置される撮影台１６と、前記撮影台１６を前記装置本体１４に対して昇降させる昇降機構１８とを備える。装置本体１４は、昇降機構１８を収容する第１本体部２０と、この第１本体部２０とは個別に構成される第２本体部２２とを備えるとともに、前記第２本体部２２にコントローラ２４およびスイッチ部２６が接続されている。
【００１７】
図２および図３に示すように、昇降機構１８は、第１本体部２０の一端側（第２本体部２２から離間する側）に支軸２８ａ、２８ｂを介して揺動自在に支持される第１揺動アーム３０ａ、３０ｂと、前記第１本体部２０の他端側（第２本体部２２に近接する側）に支軸３２ａ、３２ｂを介して揺動自在に支持される第２揺動アーム３４ａ、３４ｂとを備える。第１揺動アーム３０ａ、３０ｂと第２揺動アーム３４ａ、３４ｂの略中央部には、連結軸３６ａ、３６ｂが装着されるとともに、前記第１揺動アーム３０ａ、３０ｂおよび前記第２揺動アーム３４ａ、３４ｂの揺動先端部は、撮影台１６を構成する昇降基台３８の底部に係合されている。
【００１８】
第１揺動アーム３０ａ、３０ｂには、支軸２８ａ、２８ｂに近接して油圧シリンダ４０ａ、４０ｂが装着されており、この油圧シリンダ４０ａ、４０ｂから延在するロッド４２ａ、４２ｂが、取り付け部材４４ａ、４４ｂを介して第２揺動アーム３４ａ、３４ｂの上端側に連結されている。油圧シリンダ４０ａ、４０ｂは、バルブおよびポンプを組み込んだ油圧ユニット４６により制御される。
【００１９】
昇降基台３８と第１本体部２０の上部には、防塵および遮光機能を有する蛇腹部材４８が伸縮自在に固着される。図４に示すように、昇降基台３８には、第１本体部２０の短手方向（矢印Ｘ方向）に移動自在な可動テーブル５０が配設されるとともに、この可動テーブル５０には、前記矢印Ｘ方向に直交する矢印Ｙ方向（長手方向）に進退自在な天板部５２が配設される。
【００２０】
昇降基台３８の矢印Ｙ方向両端部には、水平軸回りに回転自在な複数のローラ５４と、垂直軸回りに回転自在な規制用ガイドローラ５６とが設けられている。可動テーブル５０はフレーム状に構成されており、ローラ５４およびガイドローラ５６が転動する断面コ字状のガイド部５８を有する。可動テーブル５０の矢印Ｘ方向両端部には、水平軸回りに回転自在な複数のローラ６０と、鉛直軸回りに回転自在な複数の規制用ガイドローラ６２とが設けられる。
【００２１】
天板部５２は、矢印Ｘ方向両側部にローラ６０およびガイドローラ６２が転動する断面コ字状のガイド部６４を設けるとともに、前記ガイド部６４に沿って線状のタッチスイッチ（スイッチ部材）６６が固着される。このタッチスイッチ６６は、可動テーブル５０および天板部５２をロックするための第１および第２ロック手段６８、７０をＯＮ／ＯＦＦ制御するものであり、前記タッチスイッチ６６が押圧されている間、第１および第２ロック手段６８、７０による前記可動テーブル５０および前記天板部５２のロック作用が解除されている。
【００２２】
図４および図５に示すように、第１ロック手段６８は、昇降基台３８の矢印Ｙ方向両端にかつ対称位置に固定される電磁ブレーキ７４ａ、７４ｂを備え、この電磁ブレーキ７４ａ、７４ｂにピニオンギヤ７６ａ、７６ｂが固着される。可動テーブル５０には、ピニオンギヤ７６ａ、７６ｂに対応してラック７８ａ、７８ｂが矢印Ｘ方向に延在して固定される。第２ロック手段７０は、可動テーブル５０に対して対称位置に設けられる電磁ブレーキ７４ｃ、７４ｄを備え、この電磁ブレーキ７４ｃ、７４ｄにピニオンギヤ７６ｃ、７６ｄが固着される。天板部５２には、ピニオンギヤ７６ｃ、７６ｄに対応してラック７８ｃ、７８ｄが矢印Ｙ方向に延在して固定される。
【００２３】
図６および図７に示すように、ガイド部６４には、水平方向に突出して取り付け部６４ａが一体的に設けられるとともに、この取り付け部６４ａと略直交してストッパ部６４ｂが設けられる。取り付け部６４ａには、天板部５２の長手方向（矢印Ｙ方向）に沿って延在するライン状のタッチスイッチ６６が固着される。
【００２４】
保護カバー部材７２は、タッチスイッチ６６のライン方向（矢印Ｙ方向）に沿って所定の長さ毎に分割される複数のカバー部材７９を備え、各カバー部材７９が取り付け部６４ａに整列固定される。カバー部材７９は、エラストマ系の樹脂材料で成形されており、取り付け部６４ａに配置される断面略Ｌ字状の固定部７９ａと、この固定部７９ａの下端部に薄肉部を設けることにより一体的に成形されるヒンジ部７９ｂと、このヒンジ部７９ｂの下端から所定の長さを有して下方向に突出するとともに、前後方向（図７中、矢印Ｂ方向）に傾動可能な板状部７９ｃとを有する。
【００２５】
板状部７９ｃは、タッチスイッチ６６側に傾動する際に、このタッチスイッチ６６を覆ってガイド部６４のストッパ部６４ｂに係合し、手指が前記タッチスイッチ６６に触れることを阻止可能に構成される（図７参照）。
【００２６】
図２に示すように、昇降基台３８には、蓄積性蛍光体シートＳに被写体の放射線画像情報を一旦記録する撮影部８０が設けられる一方、装置本体１４には、前記放射線画像情報が記憶された前記蓄積性蛍光体シートＳに励起光であるレーザ光Ｌを照射して前記放射線画像情報を光電的に読み取る読み取り部８２と、読み取り後の前記蓄積性蛍光体シートＳに残存する放射線画像情報を消去する消去部８４と、放射線画像情報読取装置１０内で、例えば、３枚の前記蓄積性蛍光体シートＳを循環させる循環搬送系８６とが組み込まれる。
【００２７】
図８に示すように、蓄積性蛍光体シートＳは、両側部に設けられた耳部Ｓａ、Ｓｂのみを挟持されて循環搬送されるものであり、この蓄積性蛍光体シートＳの裏面側には補強板８８ａ、８８ｂが固定されている。
【００２８】
撮影部８０は、図２に示すように、蓄積性蛍光体シートＳを位置決めするための位置決め部材９０と、この撮影部８０に前記蓄積性蛍光体シートＳを保持する支点９２を介して揺動自在な押さえ板９４とを備える。撮影部８０の出入口近傍には、循環搬送系８６を構成するローラ対１００ａが配置されており、このローラ対１００ａから所定間隔だけ離間してローラ対１００ｂが設けられる。ローラ対１００ａ、１００ｂは、昇降基台３８に支持されてこの昇降基台３８と一体的に昇降する。
【００２９】
第１本体部２０内には、循環搬送系８６を構成する複数のローラ対１０２が配置されるとともに、第２本体部２２内に前記循環搬送系８６とは独立したローラ対１０４が配置される。ローラ対１００ａ、１００ｂ、１０２および１０４は、蓄積性蛍光体シートＳの耳部Ｓａ、Ｓｂのみを挟持して搬送するように構成されている。
【００３０】
循環搬送系８６は、撮影部８０から鉛直方向に延在する鉛直搬送路１０６と、この鉛直搬送路１０６の下端から水平方向に延在してローラ対１０４に至る水平搬送路１０８と、このローラ対１０４で進行方向が１８０゜だけ変更された後、読み取り部８２を通過して消去部８４の先方まで延在する傾斜搬送路１１０と、この傾斜搬送路１１０の先端で進行方向を１８０゜だけ変更させた後、スイッチバックを行って鉛直搬送路１０６に連なるスイッチバック搬送路１１２とを備えている。スイッチバック搬送路１１２には、正逆回転可能なローラ対１１４が配置される。
【００３１】
循環搬送系８６には３枚の蓄積性蛍光体シートＳが存在しており、この蓄積性蛍光体シートＳの３つの待機位置として、撮影部８０のセット位置である第１待機位置ＳＴ１と、水平搬送路１０８に配置される第２待機位置ＳＴ２と、消去部８４に配置される第３待機位置ＳＴ３とが設けられる。
【００３２】
読み取り部８２は、第２本体部２２内に設けられており、蓄積性蛍光体シートＳを水平方向（矢印Ａ方向）に副走査搬送する副走査搬送手段１２０と、副走査搬送されている前記蓄積性蛍光体シートＳに励起光としてレーザ光Ｌを略鉛直方向に照射して主走査するレーザ光照射手段（励起光照射手段）１２２と、このレーザ光Ｌの照射によって前記蓄積性蛍光体シートＳから生じる輝尽発光光を光電的に読み取る第１および第２集光系１２４、１２６とを備える。
【００３３】
副走査搬送手段１２０は、互いに同期して回転駆動される第１および第２ローラ対１２８、１３０を備える。第１集光系１２４は、蓄積性蛍光体シートＳの記録面上のレーザ光Ｌの照射位置に主走査線に沿って配置される第１光ガイド１３２ａと、この第１光ガイド１３２ａの上部に装着される第１フォトマルチプライヤ１３４ａとを備える。第２集光系１２６は、蓄積性蛍光体シートＳの裏面側に主走査線に沿って配置される第２光ガイド１３２ｂと、この第２光ガイド１３２ｂの端部に装着される第２フォトマルチプライヤ１３４ｂとを備える。
【００３４】
消去部８４は、蓄積性蛍光体シートＳの記録面側に配置される第１消去ユニット１４０ａと、前記蓄積性蛍光体シートＳの裏面側に配置される第２消去ユニット１４０ｂとを備える。第１および第２消去ユニット１４０ａ、１４０ｂ内には、それぞれ消去用光源１４２ａ、１４２ｂが配置されている。
【００３５】
図１に示すように、コントローラ２４は、複数のランプを有するランプ群１５０とディスプレイ１５２と切り替えキー付き撮影サイズ表示ランプ群１５３とが設けられた操作パネル１５４を備えている。図示しないコンソールの操作によって電源がＯＮされる際や、撮影サイズが選択される際に、ランプ群１５０、１５３にこれらの情報が表示されるとともに、このコンソールで登録された患者のＩＤ番号や患者名、あるいは撮影メニュー等が、前記ディスプレイ１５２に表示される。
【００３６】
スイッチ部２６は、撮影台１６を構成する天板部５２を水平方向に移動させるためのロック解除用の第１フットスイッチ１６０と、前記撮影台１６を下降させるための下降用の第２フットスイッチ１６２と、前記撮影台１６を上昇させるための上昇用の第３フットスイッチ１６４と、前記撮影台１６の昇降動作を強制的に停止させる緊急停止用の第４フットスイッチ１６６とを備える。天板部５２の上方には、Ｘ線照射手段１７２が配置されている。
【００３７】
このように構成される放射線画像情報読取装置１０の動作について、以下に説明する。
【００３８】
まず、患者のＩＤ番号や氏名等のＩＤ情報を記録したＩＤカードが作成され、このＩＤカードが図示しないコンソールで読み取られる。このコンソールでは、患者の胸部や腹部等の撮影部位および撮影メニューの選択が行われる。さらに、必要に応じて撮影サイズの選択が行われ、次いで、被写体である患者を撮影台１６上に載置させる。
【００３９】
その際、患者の状態、身長の大小、あるいは車椅子やストレッチャー等の搬送形態によって撮影台１６の高さ位置（矢印Ｚ方向）の調整が行われる。具体的には、操作者が第２フットスイッチ１６２を踏むことにより、昇降機構１８を構成する油圧ユニット４６を介して油圧シリンダ４０ａ、４０ｂが駆動される（図３参照）。このため、油圧シリンダ４０ａ、４０ｂのロッド４２ａ、４２ｂが内方に移動し、このロッド４２ａ、４２ｂに取り付け部材４４ａ、４４ｂを介して連結されている第２揺動アーム３４ａ、３４ｂが、支軸３２ａ、３２ｂを支点にして下方向に揺動する。
【００４０】
第２揺動アーム３４ａ、３４ｂには、連結軸３６ａ、３６ｂを介して第１揺動アーム３０ａ、３０ｂが連結されており、前記第２揺動アーム３４ａ、３４ｂが下方向に揺動する際に、前記第１揺動アーム３０ａ、３０ｂが支軸２８ａ、２８ｂを支点に下方向に揺動する。これにより、昇降基台３８が下方向に移動して撮影台１６が下降する。
【００４１】
一方、操作者が第３フットスイッチ１６４を踏むと、油圧ユニット４６を介して油圧シリンダ４０ａ、４０ｂが上記とは逆方向に駆動される。このため、第１揺動アーム３０ａ、３０ｂおよび第２揺動アーム３４ａ、３４ｂに支持されている昇降基台３８が上方に移動し、撮影台１６が上昇する。
【００４２】
このように、撮影台１６は、患者が天板部５２上に乗り易いように高さ位置が調整される。そして、患者が天板部５２上に臥位姿勢（横臥姿勢）で横たわった状態で、操作者は、第２フットスイッチ１６２または第３フットスイッチ１６４を選択的に操作し、天板部５２の高さを作業し易い高さ位置に調整する。さらに、操作者は、第１フットスイッチ１６０を操作し、あるいは、天板部５２に設けられているタッチスイッチ６６をＯＮし続けることにより、第１および第２ロック手段６８、７０を構成する電磁ブレーキ７４ａ乃至７４ｄの電源がＯＮされてピニオンギヤ７６ａ乃至７６ｄがフリーとなり、可動テーブル５０および前記天板部５２のロックが解除される。
【００４３】
そこで、例えば、操作者がタッチスイッチ６６を押し続けた状態で天板部５２を前後左右（矢印Ｘ方向および矢印Ｙ方向）にスライドさせ、患者の撮影部位がＸ線照射手段１７２による照射枠に入るように前記患者の高さ位置を調整する（図７参照）。そして、患者の撮影部位の位置決めが行われた後、タッチスイッチ６６から手を離すことにより、第１および第２ロック手段６８、７０を構成する電磁ブレーキ７４ａ乃至７４ｄの電源がＯＦＦされて可動テーブル５０および天板部５２が移動不能にロックされる。
【００４４】
次に、Ｘ線照射手段１７２が駆動され、患者の放射線画像情報が撮影部８０に配置されている蓄積性蛍光体シートＳに記録（撮影）される。その際、他の蓄積性蛍光体シートＳは、第２および第３待機位置ＳＴ２、ＳＴ３に配置されている。
【００４５】
撮影処理後の蓄積性蛍光体シートＳは、循環搬送系８６を構成するローラ対１００ａの回転作用下に、耳部Ｓａ、Ｓｂが挟持されて撮影部８０から取り出され、ローラ対１００ｂ、１０２に挟持されて鉛直搬送路１０６から水平搬送路１０８に受け渡される（図６参照）。さらに、蓄積性蛍光体シートＳは、複数のローラ対１０２の回転作用下に第１本体部２０から第２本体部２２に搬送され、ローラ対１０４を通って上方に１８０゜だけ搬送方向が変更された後、読み取り部８２を構成する副走査搬送手段１２０に送られる。
【００４６】
副走査搬送手段１２０では、図示しないモータの駆動作用下に、第１および第２ローラ対１２８、１３０が同期して回転駆動され、蓄積性蛍光体シートＳは、この第１および第２ローラ対１２８、１３０に耳部Ｓａ、Ｓｂを挟持されて矢印Ａ方向に副走査搬送される。その際、レーザ光照射手段１２２からレーザ光Ｌが導出され、蓄積性蛍光体シートＳの記録面に照射されて主走査が行われる。
【００４７】
これにより、蓄積性蛍光体シートＳの記録面側から発せられる輝尽発光光が第１集光系１２４により光電的に読み取られるとともに、透明なベース面を透過して前記蓄積性蛍光体シートＳの裏面側から発せられる輝尽発光光が第２集光系１２６により光電的に読み取られる。
【００４８】
読み取り処理後の蓄積性蛍光体シートＳは、第２本体部２２から第１本体部２０側に搬送され、傾斜搬送路１１０に沿って消去部８４に送られる。この消去部８４では、第１および第２消去ユニット１４０ａ、１４０ｂを構成する消去用光源１４２ａ、１４２ｂを介して蓄積性蛍光体シートＳの両面に向かって消去光が照射され、前記蓄積性蛍光体シートＳに残存する放射線画像情報の消去処理が確実に行われる。
【００４９】
消去処理後の蓄積性蛍光体シートＳは、傾斜搬送路１１０から下方向に１８０゜だけ搬送方向を変更してスイッチバック搬送路１１２に送られる。このスイッチバック搬送路１１２を構成するローラ対１１４が逆回転されることにより、蓄積性蛍光体シートＳは、前記スイッチバック搬送路１１２から鉛直搬送路１０６に受け渡され、ローラ対１００ａ、１００ｂを介して撮影部８０に配置される。
【００５０】
この場合、本実施形態では、天板部５２の両側部に長手方向（矢印Ｙ方向）に延在してライン状のタッチスイッチ６６が設けられるとともに、このタッチスイッチ６６の外方に位置して前記天板部５２に傾動可能な保護カバー部材７２が固定されている。
【００５１】
そこで、第１および第２ロック手段６８、７０による天板部５２の固定作用を解除する際には、操作者が、任意のカバー部材７９を構成する板状部７９ｃを、図７中、矢印Ｂ２方向（手前側）に傾動させる。次に、この板状部７９ｃの下方側からタッチスイッチ６６に触れ、このタッチスイッチ６６を押し続けることにより、天板部５２が矢印Ｘ方向および矢印Ｙ方向に移動可能となる。従って、操作者は、天板部５２の任意の位置からタッチスイッチ６６を操作することができ、この天板部５２の操作性が有効に向上する。
【００５２】
一方、患者が天板部５２に乗り降りする際には、患者の手指が保護カバー部材７２に誤って触れてしまう場合がある。その際、患者の手指がカバー部材７９の板状部７９ｃに接触すると、この板状部７９ｃがヒンジ部７９ｂを支点にして、図７中、矢印Ｂ１方向（タッチスイッチ６６側）に傾動する。このため、板状部７９ｃは、タッチスイッチ６６を覆ってガイド部６４のストッパ部６４ｂに接触し、このタッチスイッチ６６が板状部７９ｃによって保護される。これにより、患者の手指がタッチスイッチ６６に不用意に接することを確実に阻止することが可能になる。
【００５３】
このように、本実施形態では、タッチスイッチ６６が天板部５２の両側部に矢印Ｙ方向に延在して設けられるため、操作者は、このタッチスイッチ６６を押し続けることにより、前記天板部５２上の患者の撮影箇所を、Ｘ線照射手段１７２に対応して容易かつ迅速に位置調整することができる。しかも、患者が不用意にタッチスイッチ６６に接触することを確実に阻止し、この患者が天板部５２に乗り降りする際に、前記天板部５２が移動することがない。
【００５４】
さらに、保護カバー部材７２は、タッチスイッチ６６に沿って所定の長さ毎に分割された複数のカバー部材７９を備えている。従って、操作者は、任意のカバー部材７９を矢印Ｂ２方向に傾動させることにより、タッチスイッチ６６を容易に操作することが可能になり、撮影台１６の操作性が一挙に向上するという利点がある。
【００５５】
さらにまた、各カバー部材７９は、樹脂材料で成形されるとともに、ヒンジ部７９ｂが一体成形されている。これにより、保護カバー部材７２全体の製造費を有効に削減することができ、経済的であるという効果が得られる。
【００５６】
なお、本実施形態では、放射線画像を蓄積性蛍光体シートＳに撮影する放射線画像情報読取装置１０を用いて説明したが、これに限定されるものではなく、例えば、Ｘ線写真フイルムにＸ線画像を直接記録（撮影）する装置にも適用可能である。
【００５７】
【発明の効果】
本発明に係る放射線画像撮影装置では、被写体が臥位姿勢で載置される天板部を任意の位置で固定するロック手段が、この天板部に設けられたスイッチ部材を介してＯＮ／ＯＦＦ制御されるとともに、前記スイッチ部材の外方に位置して傾動可能な保護カバー部材が設けられている。このため、操作者によるロック手段のロック解除が簡単に行われ、この天板部の操作性が有効に向上するとともに、患者が前記スイッチ部材に誤って触れることを確実に阻止することができる。従って、撮影台の固定状態が不用意に解除されることがなく、しかも、この撮影台の作業性が有効に向上することになる。
【図面の簡単な説明】
【図１】本発明の実施形態に係る放射線画像情報読取装置の概略斜視説明図である。
【図２】前記放射線画像情報読取装置の内部構成を示す概略説明図である。
【図３】前記放射線画像情報読取装置を構成する第１本体部と撮影台の内部構成を示す斜視図である。
【図４】前記撮影台の一部切り欠き斜視説明図である。
【図５】前記撮影台に設けられる第１および第２ロック手段の平面説明図である。
【図６】タッチスイッチと保護カバー部材の一部分解斜視説明図である。
【図７】前記タッチスイッチと前記保護カバー部材の一部断面説明図である。
【図８】蓄積性蛍光体シートの斜視図である。
【図９】従来技術に係る放射線画像情報読取装置の動作説明図である。
【符号の説明】
１０…放射線画像情報読取装置      １４…装置本体
１６…撮影台                      １８…昇降機構
２０、２２…本体部                ２４…コントローラ
２６…スイッチ部
３０ａ、３０ｂ、３４ａ、３４ｂ…揺動アーム
４０ａ、４０ｂ…油圧シリンダ      ４６…油圧ユニット
５０…可動テーブル                ５２…天板部
５４、６０…ローラ                ５６、６２…ガイドローラ
６４…ガイド部                    ６４ａ…取り付け部
６４ｂ…ストッパ部                ６６…タッチスイッチ
６８、７０…ロック手段            ７２…保護カバー部材
７９…カバー部材                  ７９ａ…固定部
７９ｂ…ヒンジ部                  ７９ｃ…板状部
８０…撮影部                      ８２…読み取り部
８４…消去部                      ８６…循環搬送系
１００ａ、１００ｂ、１０２、１０４、１１４、１２８、１３０…ローラ対
１０６…鉛直搬送路                １０８…水平搬送路
１１０…傾斜搬送路                １１２…スイッチバック搬送路
１２０…副走査搬送手段            １２２…レーザ光照射手段
１２４、１２６…集光系
１６０、１６２、１６４、１６６…フットスイッチ
１７２…Ｘ線照射手段              Ｓ…蓄積性蛍光体シート
Ｓａ、Ｓｂ…耳部
【図１】
0004272789.tif 000002
【図２】
0004272789.tif 000003
【図３】
0004272789.tif 000004
【図４】
0004272789.tif 000005
【図５】
0004272789.tif 000006
【図６】
0004272789.tif 000007
【図７】
0004272789.tif 000008
【図８】
0004272789.tif 000009
【図９】
0004272789.tif 000010